(57)【特許請求の範囲】
【請求項１】
可搬型記録媒体を使用する記憶装置であって、
上部アウタケースと下部アウタケースから構成されるアウタケースと、
前記記録媒体を駆動するためのドライブ装置と、
前記下部アウタケース上に取り付けられるインナボトムケースと、このインナボトムケースの上部を覆うトップカバーとから構成されるインナケースと、
前記インナボトムケースに設けられた電源ユニット、及び、
前記ドライブ装置を前記インナボトムケースに取り付けるためのホルダとを備え、
前記電源ユニットと前記ドライブ装置との間に安全部品として設けられるセパレータが、前記ホルダの前記電源ユニット側の壁面を高さ方向に延長することによって設けられていることを特徴とする記憶装置。
【請求項２】
請求項１に記載の記憶装置であって、
前記ホルダの前記ドライブ装置の載置面に板ばねが設けられており、前記ドライブ装置がこの板ばねを介してホルダに保持されると共に、前記ホルダの一部がヒートシンクとして機能するように、前記ホルダの前記セパレータとなる壁面の先端部が前記電源ユニットの上部を覆うように延長されていることを特徴とする記憶装置。
【請求項３】
請求項１または２に記載の記憶装置であって、
前記下部アウタケースの所定位置にフックが設けられていると共に、このフックから所定距離離れた位置に雄係止部材が設けられており、
前記インナボトムケースには、前記フックに対応する位置に係止孔が設けられていると共に、前記雄係止部材に対応する位置に雌係止部材が設けられていて、
前記ホルダの前記係止孔を前記下部アウタケースの前記フックに係止させた状態で、前記ホルダの前記雌係止部材を前記下部アウタケースの前記雄係止部材に係合させることにより、前記ホルダを前記下部アウタケースに取り付けることができることを特徴とする記憶装置。
【請求項４】
請求項１から３のいずれか１項に記載の記憶装置であって、前記ドライブ装置の回路基板上に媒体排出スイッチと、前記媒体の読み書き動作中に点灯するビジーランプが設けられており、前記アウタケースのフロントパネル上に、前記媒体排出スイッチをオンオフする媒体排出ボタンと、点灯した前記ビジーランプからの光を表示する表示器とが設けられるものにおいて、
前記表示器と前記媒体排出ボタンとが一体化された媒体排出ボタンが前記フロントパネル上に設けられており、この媒体排出ボタンは、ばねによって前記フロントパネル側に付勢されるボタン本体と、このボタン本体に組み込まれ、一端がこのボタン本体の表面側に露出し、他端が前記ビジーランプ及び前記媒体排出スイッチにそれぞれ対向する透明な導光部材とから構成されることを特徴とする記憶装置。
【請求項５】
請求項１から４のいずれか１項に記載の記憶装置であって、前記アウタケースのフロントパネルの前記記録媒体の挿入口に開閉扉が設けられているものにおいて、
前記開閉扉の裏面側に、前記挿入口から侵入した液体をこの扉の両側に排出するための導水路が設けられていることを特徴とする記憶装置。
【請求項６】
請求項５に記載の記憶装置であって、
前記アウタケースの内部の、前記開閉扉の導水路の両端部の下方に、前記導水路から流れ出た液体を前記アウタケースの外部に導く別の導水路が設けられていることを特徴とする記憶装置。
【請求項７】
請求項１から６のいずれか１項に記載の記憶装置において、前記ドライブ装置に挿入された記録媒体を回転させるためのスピンドルモータの回転部分の外周部に、前記アウタケース内に空気の流れを発生させるための溝が設けられていることを特徴とする記憶装置。
【発明の詳細な説明】
【０００１】
【発明の属する技術分野】
本発明は記憶装置に関し、特に、パーソナルコンピュータや、ワークステーションに内蔵、あるいは外付けされる光ディスク装置等の記憶装置であって、その筐体構造に特徴を有する記憶装置に関する。
従来、オフィス・オートメーション（ＯＡ）の普及により、ＯＡ機器の小型、低コスト化が進んでいる。そして近年、コンピュータの外部記憶装置として、磁気ディスク装置に代わり、光ディスク装置が用いられるようになってきている。この光ディスク装置にしても、小型化、軽量化、低コスト化の要求のがある。そのため、光ディスク装置のような記憶装置では、部品の削除、一体化、及び、熱放出対策が望まれている。
【０００２】
【従来の技術】
図１は本発明の先行技術における記憶装置の一例であるスタンドアロン型光ディスク装置３０の筐体構造を示す筐体の分解斜視図であり、図２は図１の光ディスク装置３０を組み立てた後の外観を示す斜視図であり、図３は図２のスタンドアロン型光ディスク装置３０の平面図、側面図、正面図、及び背面図である。
【０００３】
図１に示すように、先行技術の光ディスク装置３０には、ディスクドライブ１、電源ユニット２、及び電動ファンユニット３等を収納した金属製のバスタブ型に形成されたインナケース５と、このインナケース５の上部開口を覆うように設けられた金属製平板から構成されるトップカバー９と、インナケース５の前面に取り付けられたフロントベゼル１５、及びインナケース５とトップカバー９とを覆うアウタケース１９とが備えられている。ディスクドライブ１に搭載された基板にはＳＣＳＩ（小型コンピュータ用の汎用インタフェース）がある。また、フロントベゼル１５とアウタケース１９とは樹脂材料で形成されている。更に、インナケース５内のディスクドライブ１が収納された領域と電源ユニット２がある領域との間には、セパレータ１１が設けられている。２０はディスクドライブ１の上面に設けられた外部出力コネクタ２２Ａに接続されるコネクタ２２Ｂを備えた信号ケーブルである。
【０００４】
インナケース５は、ＥＭＩ（電磁妨害雑音）対策のために、板金でバスタブ状に形成されている。そして、インナケース５の背面板５Ａには、図３に示すように、電源スイッチ６、４ビット用のディップスイッチ７、２つのＳＣＳＩコネクタ８、ＡＣ電源のインレット２１、電動ファンユニット３から送られる風の排気孔２３等が設けられている。また、フロントベゼル１５には、光ディスク３１の挿入口１５Ａと、装置内部に外気を取り入れる空気孔１６、光ディスクの排出スイッチ１７、及び光ディスクが動作中であることを示すビジーランプ１８が設けられている。空気孔１６から装置内部に入った空気が電動ファンユニット３によって排気孔２３から排出されることにより、ディスクドライブ１及び電源ユニット２の温度上昇が抑制される。この実施例の光ディスク装置３０の幅Ｗは１７０ｍｍ程度、高さＨは５５ｍｍ程度、奥行Ｄは２２５ｍｍ程度である。
【０００５】
図１に示すインナケース５に収納された電源ユニット２の一次側回路にはインレット２１を通じてＡＣ電源が供給され、電源ユニット２の二次回路によってＤＣに変換される。この電源ユニット２からは、５ＶのＤＣ電源がディスクドライブ１と制御回路に供給され、１２ＶのＤＣ電源が電動ファンユニット３に供給される。この電源ユニット２からの電力供給により、ディスクドライブ１がデータの読み書きを行い、電動ファンユニット３が回転して電源ユニット２によって上昇したインナケース５内の温度上昇を抑制する。
【０００６】
ディスクドライブ１はフレーム１Ａを介してインナケース５の底面５Ｃに設けられたブラケット５Ｄに取り付けられる。また、ディスクドライブ１は信号ケーブル２０を通じて接続されるディップスイッチ７によってＳＣＳＩのＩＤやユーザの必要に応じたその他の動作モードが選択される。そして、ディスクドライブ１は、インタフェースケーブル４を通じて接続されるインナケース５の背面板５ＡにあるＳＣＳＩコネクタ８を通じて外部のコンピュータ装置に接続される。
【０００７】
トップカバー９は、ＥＭＩ対策のために、インナケース５の上部開口部を覆うように取り付けられる。このため、トップカバー９の前後方向の両側には、くの字型のフック１０が多数設けられている。１０Ａはトップカバー９をインナケース５の上に取り付ける時の位置合わせ用のフックである。
【０００８】
【発明が解決しようとする課題】
しかしながら、先行技術における記憶装置３０には以下のような問題点があった。
(1) 安全規格のためにその筐体内にディスクドライブと電源ユニットとを分離するためのセパレータが必要であり、記憶装置の横幅が大きくなっていた。
【０００９】
(2) 媒体排出スイッチとビジーランプが別々にかしめや接着等の手段によって設けられているために、部品点数が多く、組み立てが面倒であった。
(3) ディスクドライブをホルダに嵌め、ねじを使用してインナケースの底面に取り付けるために、取付工数がかかると共に部品点数が多かった。
(4) セパレータが板金製であり、これをインナフレームに取り付ける際には溶接していたので、セパレータの取付工数がかかっていた。
【００１０】
(5) 熱対策として電動ファンユニットを使用していたので、部品点数が多く、また配線処理が必要となるので、筐体のサイズが大きくなっていた。
そこで、本発明はこのような問題点を解消し、筐体内に熱対策を施しつつ、部品点数を低減することによって装置の小型化、低コスト化、軽量化を実現することが可能な筐体構造を有する記憶装置を提供することを目的としている。
【００１１】
【課題を解決するための手段】
前記目的を達成する本発明は、以下の第１から第６の発明として示される。
第１の発明の構成上の特徴は、可搬型記録媒体を使用する記憶装置を、上部アウタケースと下部アウタケースから構成されるアウタケースと、記録媒体を駆動するためのドライブ装置と、下部アウタケース上に取り付けられるインナボトムケースと、このインナボトムケースの上部を覆うトップカバーとから構成されるインナケースと、インナボトムケースに設けられた電源ユニット、及び、ドライブ装置を前記インナボトムケースに取り付けるためのホルダとから構成し、電源ユニットとドライブ装置との間に安全部品として設けられるセパレータを、ホルダの電源ユニット側の壁面を高さ方向に延長することによって設けた点にある。
【００１２】
第１の発明によれば、ドライブ装置を下部アウタケースに取り付けるホルダにセパレータの機能を持たせたので、セパレータを省略することができ、部品点数を減らして装置の幅を小さくすることができる。
第２の発明の構成上の特徴は、第１の発明において、ホルダのドライブ装置の載置面に板ばねを設け、ドライブ装置をこの板ばねを介してホルダに保持させると共に、ホルダの一部がヒートシンクとして機能するように、ホルダのセパレータとなる壁面の先端部を電源ユニットの上部を覆うように延長した点にある。
【００１３】
第２の発明によれば、ホルダとドライブ装置の間に空間を形成すると共に、ホルダを電源ユニット側に延長してホルダ面積を増やしたことにより、ホルダにヒートシンクの機能を持たせることができ、放熱効果が得られる。
第３の発明の構成上の特徴は、第１又は第２の発明において、下部アウタケースの所定位置にフックを設けると共に、このフックから所定距離離れた位置に雄係止部材を設け、インナボトムケースにはこのフックに対応する位置に係止孔を設けると共に、雄係止部材に対応する位置に雌係止部材を設け、インナボトムケースの係止孔を下部アウタケースのフックに係止させた状態で、インナボトムケースの雌係止部材を下部アウタケースの雄係止部材に係合させることにより、インナボトムケースを下部アウタケースに取り付けることができるようにした点にある。
【００１４】
第３の発明によれば、ねじなしにディスクドライブが収容されたインナボトムケースを下部アウタケースに取り付けることができるので、取付工数を低減することができる。
第４の発明の構成上の特徴は、第１から第３の発明の何れかの記憶装置であって、ドライブ装置の回路基板上に媒体排出スイッチと、媒体の読み書き動作中に点灯するビジーランプが設けられており、アウタケースのフロントパネル上に媒体排出スイッチをオンオフする媒体排出ボタンと、点灯したビジーランプからの光を表示する表示器とが設けられるものにおいて、表示器と媒体排出ボタンとを一体化した媒体排出ボタンをフロントパネル上に設け、この媒体排出ボタンを、ばねによってフロントパネル側に付勢されるボタン本体と、このボタン本体に組み込まれ、一端がこのボタン本体の表面側に露出し、他端がビジーランプ及び媒体排出スイッチにそれぞれ対向する透明な導光部材とから構成した点にある。
【００１５】
第４の発明によれば、媒体排出スイッチとビジーランプの機能を１つのスイッチボタンで実現できるため、部品点数の低減、及びフロントパネル上の専有スペースを低減することができる。
第５の発明の構成上の特徴は、第１から第４の発明の何れかの記憶装置であって、アウタケースのフロントパネルの記録媒体の挿入口に開閉扉が設けられているものにおいて、開閉扉の裏面側に、挿入口から侵入した液体をこの扉の両側に排出するための導水路を設けた点にある。この場合、アウタケースの内部の開閉扉の導水路の両端部の下方に、導水路から流れ出た液体をアウタケースの外部に導く別の導水路を設けても良い。
【００１６】
第５の発明によれば、記憶装置のアウタケースに液体がこぼれ、その液体が記録媒体の挿入口の開閉扉から内部に侵入した場合でも、その液体が開閉扉の両側に流れて排出されるので、液体の内部への侵入を防止することができる。
第６の発明の構成上の特徴は、第１から第６の発明の記憶装置において、ドライブ装置に挿入された記録媒体を回転させるためのスピンドルモータの回転部分の外周部に、アウタケース内に空気の流れを発生させるための溝を設けた点にある。
【００１７】
第６の発明によれば、スピンドルモータがファンの代用となるので、電動ファンユニットが不要となり、記憶装置の小型化、形状化、部品点数の削減、低コスト化を図ることができる。
【００１８】
【発明の実施の形態】
以下添付図面を用いて本発明の実施形態を具体的な実施例に基づいて詳細に説明する。
図４は本発明の可搬型記録媒体を使用する記憶装置の一実施例のスタンドアロン型光ディスク装置４０の筐体構造を示す筐体の分解斜視図であり、図５は図４のスタンドアロン型光ディスク装置４０の平面図、側面図、正面図、及び背面図である。
【００１９】
図１に示すように、本発明の光ディスク装置４０には、ディスクドライブ４１、ディスクドライブ４１のホルダ４２、ディスクドライブ４１が取り付けられたホルダ４２を収容するインナボトムケース４３、インナボトムケース４３の上部に取り付けられるトップカバー４４、ディスクドライブ４１とホルダ４２を収容し、上部がトップカバー４４で覆われたインナボトムケース４３を取り付ける下部アウタケース４５、及び下部アウタケース４５の上に取り付けられる上部アウタケース４６がある。この実施例では、ホルダ４２、インナボトムケース４３、及びトップカバー４４が金属製であり、下部アウタケース４５と上部アウタケース４６が樹脂製である。
【００２０】
下部アウタケース４５の底面の上には、インナボトムケース４３をこの上に載置して係止するためのフック４５１と雄係止部材であるスナップファスナ４５２、及び、ねじ止め用のボス４５３が一体成形によって設けられている。
ディスクドライブ４１に搭載された基板４１１には、ディスクの駆動機構を制御する回路部品や外部装置とのインタフェース回路等がある。このディスクドライブ４１はホルダ４２を介してインナボトムケース４３に取り付けられる。インナボトムケース４３のディスクドライブ４１が取り付けられる部位の脇には電源ユニット４７がある。インナボトムケース４３内のディスクドライブ４１が収納される領域と電源ユニット４７がある領域との間には安全部品としてセパレータを設ける必要がある。この実施例では、このセパレータの機能をホルダ４２の側壁４２１に兼用させている。電源ユニット４７とホルダ４２の側壁４２１との間には絶縁シート４８が設けられている。
【００２１】
インナボトムケース４３は、ＥＭＩ対策のために、板金でバスタブ状に形成されており、その内部には電源ユニット４７の他に、ディスクドライブ４１に接続するコネクタ２４、２５、及び２６、インナボトムケース４３に設けられたフック４５１とスナップファスナ４５２とにそれぞれに係合する係止孔２７とブラケット２８とが設けられている。コネクタ２４，２５はインナボトムケース４３の背面板４３１に接続しており、コネクタ２６は電源ユニット４７に接続していて、ディスクドライブ４１に電源を供給する。
【００２２】
そして、インナボトムケース４３の背面板４３１には、図５に示すように、６ビット用のディップスイッチ３７、２つの外部接続コネクタ３８、ＡＣ電源のインレット３９等が設けられている。ディスクドライブ４１はコネクタ２４を通じて接続されるディップスイッチ３７によってインタフェース、例えばＳＣＳＩのＩＤやユーザの必要に応じたその他の動作モードが選択される。そして、ディスクドライブ４１は、コネクタ２６を通じて接続されるインナボトムケース４３の背面板４３１にある外部接続コネクタ３８を通じて外部のコンピュータ装置に接続される。
【００２３】
また、フロントパネル４６１には、光ディスクの挿入孔３２、媒体排出ボタン３３、及び、電源ボタン３６が設けられている。更に、この実施例では、媒体排出ボタン３３の中に、光ディスクが作動中であることを示すビジーインジケータ３４が設けられている。この実施例の光ディスク装置４０の幅Ｗは１４０ｍｍ程度、高さＨは４０ｍｍ程度、奥行Ｄは２１０ｍｍ程度であり、図３で説明した先行技術における記憶装置３０に比べると外形寸法がかなり小さくなっている。
【００２４】
図４に示したインナボトムケース４３に収納された電源ユニット４７の一次側回路にはインレット３９を通じてＡＣ電源が供給され、電源ユニット４７の二次回路によってＤＣに変換される。この電源ユニット４７からは、５ＶのＤＣ電源がディスクドライブ４１と制御回路基板４１１に供給され。この電源ユニット４７からの電力供給により、ディスクドライブ４１が光ディスクに対してデータの読み書きを行う。
【００２５】
図６(a) は本発明の光ディスク装置４０におけるセパレータの構造を示すものであり、(b) は図１〜３に示した先行技術における光ディスク装置３０のセパレータ１１の構造を示すものである。
これまでの光ディスク装置３０の内部は、図１に示したように、光ディスク装置３０の前後方向に設置された板金製のセパレータ１１により仕切られており、電源ユニット２とそれ以外の部品、例えば、ディスクドライブ１とが隔離されている。図６(b) は光ディスク装置３０の幅方向の断面を示すものであり、ディスクドライブ１はフレーム１Ａに保持された状態でインナケース５に取り付けられている。インナケース５にはディスクドライブ１に隣接して電源ユニット２が設けられており、ディスクドライブ１と電源ユニット２の間には、インナケース５の底面５Ｃに突設されたセパレータ１１がある。このインナケース５はトップカバー９で覆われた状態でアウタケース１９内に収容されている。
【００２６】
一方、図６(a) に示す本発明の実施例の光ディスク装置４０では、電源ユニット４７とディスクドライブ４１との間に安全部品として設けられるセパレータが、ディスクドライブ４１のホルダ４２の電源ユニット４７側の壁面４２１を高さ方向に延長することによって設けられている。また、この実施例では、電源ユニット４７側の壁面４２１の上端部に電源ユニット４７側に折り曲げられた庇部４２２が設けられている。この庇部４２２は電源ユニット４７の上部を覆うように設けられている。
【００２７】
このように、ディスクドライブ４１を下部アウタケース４５に取り付けるホルダ４２にセパレータの機能を持たせたので、この実施例ではセパレータを省略することができ、部品点数を減らして光ディスク装置４０の幅を小さくすることができる。また、ホルダ４２を電源ユニット４７側に延長してホルダ４２の面積を増やしたことにより、ホルダ４２にヒートシンクの機能を持たせることができ、放熱効果が得られる。
【００２８】
更に、この実施例では、ホルダ４２のディスクドライブ４１の載置面に板ばね４９を設け、ディスクドライブ４１をこの板ばね４９を介してホルダ４２に保持させている。この結果、ホルダ４２とディスクドライブ４１の間に空間を形成することができると共に、ディスクドライブ４１の熱がこの板ばね４９を通じてホルダ４２に伝えられるので、ディスクドライブ１の放熱が行える。
【００２９】
図７(a) から(c) は本発明における下部アウタケース４５に、ホルダ４２を介してディスクドライブ４１が取り付けられたインナボトムケース４３を取り付ける際の工程を示すものである。
図４で説明したように、下部アウタケース４５の前方側の所定位置にフック４５１が設けられており、このフック４５１から所定距離離れた下部アウタケース４５の後方側の所定位置に雄係止部材であるスナップファスナ４５２が設けられている。一方、インナボトムケース４３には、このフック４５１に対応する位置に係止孔２７が設けられていると共に、スナップファスナ４５２に対応する位置に雌係止部材であるブラケット２８が設けられている。
【００３０】
インナボトムケース４３を下部アウタケース４５に取り付ける際には、まず、ディスクドライブ４１をホルダ４２を介してインナボトムケース４３に取り付けて図７(a) に示す状態にする。次に、インナボトムケース４３の係止孔２７を、図７(b) に示すように下部アウタケース４５のフック４５１に係止させる。この後、インナボトムケース４３のブラケット２８を下部アウタケース４５のスナップファスナ４５２の位置に合わせ、上から押圧すれば下部アウタケース４５のスナップファスナ４５２がインナボトムケース４３のブラケット２８に係合するので、ワンタッチでインナボトムケース４３を下部アウタケース４５に取り付けることができる。
【００３１】
このように、本発明の構成によれば、ねじなしにインナボトムケース４３を下部アウタケース４５に取り付けることができるので、取付工数を低減することができる。
図８(a) から(d) 及び図９(a) ，(b) は本発明の光ディスク装置４０の媒体排出ボタン３３及びビジーインジケータ３４の構成を示すものである。ビジーインジケータ３４を備えた媒体排出ボタン３３は、図８(b) に示されるように、上部アウタケース４６のフロントパネル４６１に設けられた光ディスクの挿入口３２の上側に設けられている。また、ビジーインジケータ３４を備えた媒体排出ボタン３３の後方には、図８(a) に示すように、媒体排出スイッチ３３０とビジーランプ３４０が基板４１１の上に設けられている。この基板４１１は図４で説明したように、ディスクドライブ４１の上面に設けられるものである。
【００３２】
ビジーインジケータ３４は透明な樹脂で作られており、このビジーシンジケータ３４のメインシャフト３４２の端部はビジーランプ３４０に対向するようになっている。また、ビジーインジケータ３４にはメインシャフト３４２に平行にサブシャフト３４１が設けられており、このサブシャフト３４１の端部は媒体排出スイッチ３３０に対向するようになっている。
【００３３】
実際には、ビジーインジケータ３４を備えた媒体排出ボタン３３の取付位置と、基板４１１上の媒体排出スイッチ３３０とビジーランプ３４０の取付位置の高さは異なっているので、図８(c) に示すように、メインシャフト３４１とサブシャフト３４２の端部は先端部が折り曲げられており、メインシャフト３４１とサブシャフト３４２の端部が媒体排出スイッチ３３０とビジーランプ３４０の正面に位置するようになっている。従って、ビジーランプ３４０が点灯した場合には、ビジーランプ３４０からの光は、図８(d) に示すように、メインシャフト内を屈折してビジーインジケータ３４に達することになる。そして、ビジーインジケータ３４を備えた媒体排出ボタン３３はばね３５に付勢されているので、通常はメインシャフト３４１とサブシャフト３４２の端部が媒体排出スイッチ３３０とビジーランプ３４０から離れた位置にある。
【００３４】
図９(a) はこのビジーインジケータ３４を備えた媒体排出ボタン３３の構造を更に詳しく示すものである。フロントパネル４６１のビジーインジケータ３４を備えた媒体排出ボタン３３の設置位置には凹部４６２が設けられている。この凹部４６２の底面には３つの貫通孔４６３があり、中央の貫通孔４６３の裏面側からビジーインジケータ３４のメインシャフト３４２が挿通されるようになっている。
【００３５】
媒体排出ボタン３３にはその中央部にビジーインジケータ３４のメインシャフト３４２の先端部を挿通する貫通孔３３２がある。また、媒体排出ボタン３３の背面側の両端部には２本のレッグ３３１が突設されており、このレッグ３３１の先端部にはそれぞれ係止爪３３３が設けられている。一方、ビジーインジケータ３４のメインシャフト３４２の先端部には段部３４５があり、この段部３４５の先は媒体排出ボタン３３の貫通孔３３２に挿通されるように細く形成されている。また、メインシャフト３４２のフロントパネル４６１の内側にある部分の両側にはアーム３４３があり、サブシャフト３４１はこのアーム３４３の一方の端部に突設されている。また、それぞれのアーム３４３には媒体排出ボタン３３のレッグ３３１を挿通するための貫通孔３４４が設けられている。
【００３６】
ビジーインジケータ３４を備えた媒体排出ボタン３３を組み立てる場合には、まず、ビジーインジケータ３４のメインシャフト３４２を凹部４６２の裏面側から中央の貫通孔４６３に挿通する。メインシャフト３４２はアーム３４３の位置まで挿通することができる。次に、ビジーインジケータ３４のメインシャフト３４２にばね３５を取り付け、凹部４６２の表側から媒体排出ボタン３３を取り付ける。媒体排出ボタン３３は、そのレッグ３３１を凹部４６２の底面に設けられた貫通孔４６３とその後方にあるアーム３４３の貫通孔３４４に挿通させつつ、その貫通孔３３２にビジーインジケータ３４のメインシャフト３４２の先端部を挿入させながら凹部４６２に挿入する。
【００３７】
媒体排出ボタン３３のレッグ３３１がアーム３４３の貫通孔３４４に所定長さ挿入されると、レッグ３３１の先端部に設けられた係止爪３３３がアーム３４３を貫通するので、ビジーインジケータ３４が媒体排出ボタン３３に係止され、媒体排出ボタン３３が外れなくなる。この状態では媒体排出ボタン３３の底部が、ビジーインジケータ３４のメインシャフト３４２に設けられた段部３４５の位置と一致する。従って、以後、媒体排出ボタン３３を押すと、媒体排出ボタン３３はビジーインジケータ３４と一体となって移動する。
【００３８】
図９(a) は媒体排出ボタン３３が押されていない状態であり、この状態で光ディスクへの読み書きが行われると、ビジーランプ３４０に接続するビジーランプ点灯回路１４がオンとなり、ビジーランプ３４０が点灯する。ビジーランプ３４０から放射された光はビジーインジケータ３４のメインシャフト３４２の端部からメインシャフト３４２内に入り、図８(d) で説明したように、その光がメインシャフト３４２内を屈折して進むので、ビジーインジケータ３４が点灯する。
【００３９】
図９(b) は媒体排出ボタン３３が押された状態である。媒体排出ボタン３３が押されると、媒体排出ボタン３３と共にビジーインジケータ３４が移動するので、ビジーインジケータ３４のメインシャフト３４２にアーム３４３を介して突設されたサブシャフト３４１が媒体排出スイッチ３３０を押す。この結果、媒体排出スイッチ３３０に接続する媒体排出機構１３がオンとなり、光ディスクの排出動作が実行される。この時、光ディスクへの読み書きは行われていないので、ビジーランプ点灯回路１４はオフであり、ビジーランプ３４０は点灯しない。
【００４０】
このように、本発明では、媒体排出ボタン３３とビジーインジケータ３４の機能を１つのスイッチボタンで実現できるため、部品点数の低減、及びフロントパネル４６１上の専有スペースを低減することができる。
図１０(a) ，(b) は本発明のフロントパネル４６１に設けられた光ディスクの挿入口３２の奥に設けられた開閉扉２９の構成を示すものである。
【００４１】
一般に、従来の光ディスク装置の光ディスクの挿入口には、図１０(c) に示すように、塵埃等の装置内への侵入を防止するために開閉扉１５Ｂが設けられている。そして、ディスクドライブ１内に光ディスク３１が挿入される時には、この開閉扉１５Ｂは回転軸１５Ｃを中心にして回転するようになっている。ところが、従来の開閉扉１５Ｂの構造では、開閉扉１５Ｂが開いている状態で液体等が光ディスクの挿入口から侵入すると、この液体は開閉扉１５Ｂに導かれて装置内に侵入し、光ディスク３１やディスクドライブ１に損傷を与えてしまうおそれがあった。
【００４２】
そこで、本発明では、図１０(a) に示すように、上部アウタケース４６のフロントパネル４６１の光ディスクの挿入口に、回転軸２９０によって回転する開閉扉２９が設けられているものにおいて、開閉扉２９の裏面側に、挿入口から侵入した液体をこの開閉扉２９の両側に排出するための導水路２９２がリブ２９１によって設けられている。この導水路２９２は、図１０(b) に示すように、開閉扉２９の中央部から両端部に向かって溝の深さが次第に深くなるように形成されている。
【００４３】
この構成により、上部アウタケース４６のフロントパネル４６１の光ディスクの挿入口から液体が侵入した場合でも、この液体は開閉扉２９の両側に流れるので、液体の装置内部への侵入が防止される。
また、開閉扉２９に導水路２９２が設けられている場合、図１１に示すように、この導水路２９２の両端部の下方に、導水路２９２から流れ出た液体を下部アウタケース４５の外部に導く別の導水路２９３を設けても良い。このようにすれば、導水路２９２から流れ出た液体を、完全に下部アウタケース４５の外部に排出することができる。
【００４４】
図１２(a) は本発明のディスクドライブに組み込まれた第１の実施例のスピンドルモータ５１の構成を示すものである。このスピンドルモータ５１は光ディスクを回転させるものである。第１の実施例では、ディスクドライブの内部に設けられる移動光学系５０に取り付けられるスピンドルモータ５１のターンテーブル５４の外周部に、所定間隔で縦溝５５が設けられている。この結果、スピンドルモータ５１が回転すると、この縦溝５５によってディスクドライブ内に空気の流れが発生するので、この空気の流れによってディスクドライブ内の温度上昇が防止される。
【００４５】
なお、第１の実施例では、スピンドルモータ５１のターンテーブル５４の外周に縦溝５５を形成したが、図１２(b) に示す第２の実施例のスピンドルモータ５２や図１２(c) に示す第３の実施例のスピンドルモータ５３のように、縦溝５５の代わりに斜め溝５６を設けるようにしてもよい。第２の実施例と第３の実施例のスピンドルモータ５２，５３では斜め溝５６の方向が異なっているので、第２の実施例と第３の実施例のスピンドルモータ５２，５３では、スピンドルモータ５２，５３の回転時の空気の流れの方向が逆になる。
【００４６】
このように、スピンドルモータのターンテーブルの外周面に溝を形成することによりスピンドルモータがファンの代用となるので、電動ファンユニットが不要となり、記憶装置の小型化、形状化、部品点数の削減、低コスト化を図ることができる。
なお、以上説明した実施例では、光ディスク装置について説明を行ったが、他のディスク装置についても本発明を有効に適用することができる。
【００４７】
【発明の効果】
以上説明したように、本発明の記憶装置によれば、以下のような効果がある。
第１の発明によれば、ドライブ装置を下部アウタケースに取り付けるホルダにセパレータの機能を持たせたので、セパレータを省略することができ、部品点数を減らして装置の幅を小さくすることができる。
【００４８】
第２の発明によれば、ホルダとドライブ装置の間に空間を形成すると共に、ホルダを電源ユニット側に延長してホルダ面積を増やしたことにより、ホルダにヒートシンクの機能を持たせることができ、放熱効果が得られる。
第３の発明によれば、ねじなしにディスクドライブが収容されたインナボトムケースを下部アウタケースに取り付けることができるので、取付工数を低減することができる。
【００４９】
第４の発明によれば、媒体排出スイッチとビジーランプの機能を１つのスイッチボタンで実現できるため、部品点数の低減、及びフロントパネル上の専有スペースを低減することができる。
第５の発明によれば、記憶装置のアウタケースに液体がこぼれ、その液体が記録媒体の挿入口の開閉扉から内部に侵入した場合でも、その液体が開閉扉の両側に流れて排出されるので、液体の内部への侵入を防止することができる。
【００５０】
第６の発明によれば、スピンドルモータがファンの代用となるので、電動ファンユニットが不要となり、記憶装置の小型化、形状化、部品点数の削減、低コスト化を図ることができる。
【図面の簡単な説明】
【図１】本発明の先行技術における記憶装置の一例のスタンドアロン型光ディスク装置の筐体構造を示す筐体の分解斜視図である。
【図２】図１のスタンドアロン型光ディスク装置が組み立てられた後の外観を示す斜視図である。
【図３】図２のスタンドアロン型光ディスク装置の平面図、側面図、正面図、及び背面図である。
【図４】本発明の一実施例における記憶装置の一例のスタンドアロン型光ディスク装置の筐体構造を示す筐体の分解斜視図である。
【図５】図４のスタンドアロン型光ディスク装置の平面図、側面図、正面図、及び背面図である。
【図６】  (a) は本発明のセパレータの構造を示す記憶装置の断面図、(b) は図１〜３の装置におけるセパレータの構造を示す記憶装置の断面図である。
【図７】  (a) から(c) は本発明における下部アウタケースに、ホルダを介してドライブ装置が取り付けられたインナボトムケースを取り付けるる際の工程を説明する工程図である。
【図８】  (a) は本発明の記憶装置のフロントパネル近傍を平面視した一部切欠部分図、(b) は本発明の記憶装置のフロントパネルの正面図、(c) は(a) のビジーランプと媒体排出スイッチの位置関係を説明する部分断面図、(d) はビジーランプから放出された光の導光部材中の光路を説明する図で或る。
【図９】  (a) は本発明の一実施例の媒体排出ボタンのビジーランプ点灯時の動作を示す部分拡大断面図、(b) は(a) の媒体排出ボタンの媒体排出時の動作を示す部分拡大断面図である。
【図１０】  (a) は本発明の開閉扉の媒体挿入時の動作を示す説明図、(b) は(a) の開閉扉の一実施例の構成を示す背面図、(c) は先行技術における開閉扉の媒体挿入時の動作を示す説明図である。
【図１１】本発明の開閉扉の両側に設けられた液体排出機構の位置を示す記憶装置の正面図である。
【図１２】  (a) は本発明のドライブ装置に組み込まれたスピンドルモータの第１の実施例の構成を示す組立斜視図、(b) は本発明のスピンドルモータの第２の実施例の構成を示す側面図、(c) は本発明のスピンドルモータの第３の実施例の構成を示す側面図である。
【符号の説明】
２７…係止孔
２８…ブラケット
２９…開閉扉
２９１…リブ
２９２，２９３，…導水路
３３…媒体排出ボタン
３３０…媒体排出スイッチ
３３１…レッグ
３３２…貫通孔
３３３…係止爪
３４…ビジーインジケータ
３４０…ビジーランプ
３４１…サブシャフト
３４２…メインシャフト
３４３…アーム
３５…ばね
３６…電源ボタン
４０…本発明の光ディスク装置
４１…ディスクドライブ
４１１…基板
４２…ホルダ
４３…インナボトムケース
４３１…背面板
４４…トップカバー
４５…下部アウタケース
４５１…フック
４５２…スナップファスナ
４６…上部アウタケース
４６１…フロントパネル
４７…電源ユニット
４９…板ばね
５１，５２，５３…スピンドルモータ
５４…ターンテーブル
５５…縦溝
５６…斜め溝
【図１】
0003982941.tif 000002
【図２】
0003982941.tif 000003
【図３】
0003982941.tif 000004
【図４】
0003982941.tif 000005
【図５】
0003982941.tif 000006
【図６】
0003982941.tif 000007
【図７】
0003982941.tif 000008
【図８】
0003982941.tif 000009
【図９】
0003982941.tif 000010
【図１０】
0003982941.tif 000011
【図１１】
0003982941.tif 000012
【図１２】
0003982941.tif 000013